(57)【要約】【課題】バスや鉄道の乗車時に、乗客のプライバシーを保護しながら、譲渡希望者が、着席希望者に席を譲ることができるようにすること。【解決手段】座席譲渡希望者の通信端末において、識別情報受信部はサーバ装置から着席希望者の識別情報を受信し、撮影部は着席希望者が身につけているバーコードを撮影し、識別情報検出部は撮影部で撮影したバーコードに含まれる識別情報を検出し、識別情報照合部は識別情報検出部で検出した識別情報と識別情報受信部で受信した識別情報が同じかどうか照合し、映像合成部は識別情報照合部において識別情報が同じものであると判断した場合に撮影部で撮影したバーコード部分に着席希望者であるとわかる映像を合成し、表示部は映像合成部で合成した映像を表示する。【選択図】図１
2011258038.tif 000002
【特許請求の範囲】
【請求項１】
サーバ装置と着席希望者の通信端末と座席譲渡希望者の通信端末からなる座席譲渡システムであって、
サーバ装置は、
空席状況を検出する空席検出手段と、
着席希望を示す情報と位置情報と第１識別情報からなる着席希望者の通信端末から送信された着席希望者の乗客情報、および座席譲渡希望を示す情報と位置情報と識別情報からなる座席譲渡希望者の通信端末から送信された座席譲渡希望者の乗客情報を受信する乗客情報受信手段と、
前記空席状況と前記着席希望者の乗客情報と前記座席譲渡希望者の乗客情報に基づいて、前記着席希望者の乗客情報を座席譲渡希望者に通知するか否かを判断する識別情報通知判断手段と、
前記識別情報通知判断手段において前記着席希望者の乗客情報を座席譲渡希望者に通知すると判断した場合に、前記着席希望者の第１識別情報を座席譲渡希望者の通信端末に送信する識別情報送信手段と、を備え、
着席希望者の通信端末は、
前記着席希望者の乗客情報を送信する乗客情報通信手段、を備え、
座席譲渡希望者の通信端末は、
前記座席譲渡希望者の乗客情報を送信する乗客情報送信手段と、
前記着席希望者の第１識別情報を受信する識別情報受信手段と、
着席希望者の第２識別情報を示す画像コードを含む映像を撮影する撮影手段と、
前記撮影手段において撮影された前記画像コードから前記着席希望者の第２識別情報を検出する識別情報検出手段と、
前記識別情報受信手段において受信した前記着席希望者の第１識別情報と、前記識別情報検出手段において検出した前記着席希望者の第２識別情報とを照合して一致しているか否かを判断する識別情報照合手段と、
前記識別情報照合手段において、前記着席希望者の第１識別情報と前記着席希望者の第２識別情報が一致していると判断した場合に、前記撮影手段において撮影された映像の上に当該着席希望者を特定するための映像を合成する映像合成手段と、
前記映像合成手段により合成された映像を表示する表示手段と、を備える座席譲渡システム。
【請求項２】
前記識別情報送信手段では、前記識別情報通知判断手段において前記着席希望者の乗客情報を座席譲渡希望者に通知すると判断した場合に、前記着席希望者の第１識別情報と位置情報を座席譲渡希望者の通信端末に送信し、前記座席譲渡希望者の位置情報を着席希望者の通信端末に送信することを特徴とする請求項１に記載の座席譲渡システム。
【請求項３】
空席状況を検出する空席検出手段と、
着席希望を示す情報と位置情報と第１識別情報からなる着席希望者の通信端末から送信された着席希望者の乗客情報、および座席譲渡希望を示す情報と位置情報と識別情報からなる座席譲渡希望者の通信端末から送信された座席譲渡希望者の乗客情報を受信する乗客情報受信手段と、
前記空席状況と前記着席希望者の乗客情報と前記座席譲渡希望者の乗客情報に基づいて、前記着席希望者の乗客情報を座席譲渡希望者に通知するか否かを判断する識別情報通知判断手段と、
前記識別情報通知判断手段において前記着席希望者の乗客情報を座席譲渡希望者に通知すると判断した場合に、前記着席希望者の第１識別情報を座席譲渡希望者の通信端末に送信する識別情報送信手段と、を備えるサーバ装置。
【請求項４】
前記識別情報送信手段では、前記識別情報通知判断手段において前記着席希望者の乗客情報を座席譲渡希望者に通知すると判断した場合に、前記着席希望者の第１識別情報と位置情報を座席譲渡希望者の通信端末に送信し、前記座席譲渡希望者の位置情報を着席希望者の通信端末に送信することを特徴とする請求項３に記載のサーバ装置。
【請求項５】
着席希望か座席譲渡希望かを示す情報と位置情報と識別情報からなる乗客情報を送信する乗客情報送信手段と、
着席希望者の第１識別情報を受信する識別情報受信手段と、
着席希望者の第２識別情報を示す画像コードを含む映像を撮影する撮影手段と、
前記撮影手段において撮影された前記画像コードから前記着席希望者の第２識別情報を検出する識別情報検出手段と、
前記識別情報受信手段において受信した前記着席希望者の第１識別情報と、前記識別情報検出手段において検出した前記着席希望者の第２識別情報とを照合して一致しているか否かを判断する識別情報照合手段と、
前記識別情報照合手段において、前記着席希望者の第１識別情報と前記着席希望者の第２識別情報が一致していると判断した場合に、前記撮影手段において撮影された映像の上に当該着席希望者を特定するための映像を合成する映像合成手段と、
前記映像合成手段により合成された映像を表示する表示手段と、を備える通信端末。
【請求項６】
サーバ装置における、
空席状況を検出する空席検出ステップと、
着席希望を示す情報と位置情報と第１識別情報からなる着席希望者の通信端末から送信された着席希望者の乗客情報、および座席譲渡希望を示す情報と位置情報と識別情報からなる座席譲渡希望者の通信端末から送信された座席譲渡希望者の乗客情報を受信する乗客情報受信ステップと、
前記空席状況と前記着席希望者の乗客情報と前記座席譲渡希望者の乗客情報に基づいて、前記着席希望者の乗客情報を座席譲渡希望者に通知するか否かを判断する識別情報通知判断ステップと、
前記識別情報通知判断ステップにおいて前記着席希望者の乗客情報を座席譲渡希望者に通知すると判断した場合に、前記着席希望者の第１識別情報を座席譲渡希望者の通信端末に送信する識別情報送信ステップと、
着席希望者の通信端末における、
前記着席希望者の乗客情報を送信する乗客情報通信ステップと、
座席譲渡希望者の通信端末における、
前記座席譲渡希望者の乗客情報を送信する乗客情報送信ステップと、
前記着席希望者の第１識別情報を受信する識別情報受信ステップと、
着席希望者の第２識別情報を示す画像コードを含む映像を撮影する撮影ステップと、
前記撮影ステップにおいて撮影された前記画像コードから前記着席希望者の第２識別情報を検出する識別情報検出ステップと、
前記識別情報受信ステップにおいて受信した前記着席希望者の第１識別情報と、前記識別情報検出ステップにおいて検出した前記着席希望者の第２識別情報とを照合して一致しているか否かを判断する識別情報照合ステップと、
前記識別情報照合ステップにおいて、前記着席希望者の第１識別情報と前記着席希望者の第２識別情報が一致していると判断した場合に、前記撮影ステップにおいて撮影された映像の上に当該着席希望者を特定するための映像を合成する映像合成ステップと、
前記映像合成ステップにより合成された映像を表示する表示ステップと、からなる座席譲渡方法。
【発明の詳細な説明】
【技術分野】
【０００１】
本発明は、バスや鉄道における着席希望者に座席を譲渡するための座席譲渡システムに関する。
【背景技術】
【０００２】
バスや鉄道の乗車時に、乗客の年齢や身体状態などの情報をＩＣカードから取得し、空席数より着席希望者が多い場合に、取得された情報の中から優先順位の低い乗客を抽出して、座席を譲るように促すメッセージをディスプレイに表示する従来技術がある。この従来技術によって、老人や体の不自由な人などが、席を譲って欲しいという意思を、着席している乗客に伝えることができる。（例えば、特許文献１参照）。
【先行技術文献】
【特許文献】
【０００３】
【特許文献１】特開２００４−２９５６８６号公報
【発明の概要】
【発明が解決しようとする課題】
【０００４】
しかしながら、上記従来技術では、座席を譲るように促すメッセージを表示する際に、乗客の氏名、定期券番号も表示されるため、不特定多数の乗客に個人情報を公開することになり、プライバシーを侵害する恐れがあった。
【０００５】
本発明の目的は、バスや鉄道の乗車時に、乗客のプライバシーを保護しながら、譲渡希望者が、着席希望者に席を譲ることができるようにすることである。
【課題を解決するための手段】
【０００６】
本発明に係る座席譲渡システムは、サーバ装置と着席希望者の通信端末と座席譲渡希望者の通信端末からなり、サーバ装置は、空席状況を検出する空席検出手段と、着席希望を示す情報と位置情報と第１識別情報からなる着席希望者の通信端末から送信された着席希望者の乗客情報、および座席譲渡希望を示す情報と位置情報と識別情報からなる座席譲渡希望者の通信端末から送信された座席譲渡希望者の乗客情報を受信する乗客情報受信手段と、前記空席状況と前記着席希望者の乗客情報と前記座席譲渡希望者の乗客情報に基づいて、前記着席希望者の乗客情報を座席譲渡希望者に通知するか否かを判断する識別情報通知判断手段と、前記識別情報通知判断手段において前記着席希望者の乗客情報を座席譲渡希望者に通知すると判断した場合に、前記着席希望者の第１識別情報を座席譲渡希望者の通信端末に送信する識別情報送信手段と、を備え、着席希望者の通信端末は、前記着席希望者の乗客情報を送信する乗客情報通信手段、を備え、座席譲渡希望者の通信端末は、前記座席譲渡希望者の乗客情報を送信する乗客情報送信手段と、前記着席希望者の第１識別情報を受信する識別情報受信手段と、着席希望者の第２識別情報を示す画像コードを含む映像を撮影する撮影手段と、前記撮影手段において撮影された前記画像コードから前記着席希望者の第２識別情報を検出する識別情報検出手段と、前記識別情報受信手段において受信した前記着席希望者の第１識別情報と、前記識別情報検出手段において検出した前記着席希望者の第２識別情報とを照合して一致しているか否かを判断する識別情報照合手段と、前記識別情報照合手段において、前記着席希望者の第１識別情報と前記着席希望者の第２識別情報が一致していると判断した場合に、前記撮影手段において撮影された映像の上に当該着席希望者を特定するための映像を合成する映像合成手段と、前記映像合成手段により合成された映像を表示する表示手段と、を備える。
【発明の効果】
【０００７】
本発明によれば、バスや鉄道の乗車時に、着席を希望する乗客は、自分の年齢や身体状態といった個人情報を公開することなく、座席を譲渡してもよいと希望する乗客に対して着席希望の意志を伝えることができると同時に、座席譲渡者は着席希望者を容易に特定することができるため、円滑に席を譲ることが可能となる。
【図面の簡単な説明】
【０００８】
【図１】本発明の実施の形態に係る通信端末とサーバ装置の構成図
【図２】譲渡希望者の通信端末の処理を示すフローチャート図
【図３】サーバ装置の処理を示すフローチャート図
【図４】識別情報データベースの管理情報の例を示す図
【図５】通信端末とサーバ装置のやり取りを示すシーケンス図
【図６】サーバ装置が乗客同士の位置が近いと判断する例を示す図
【図７】譲渡希望者の通信端末に表示される着席希望者の乗客情報の例を示す図
【図８】乗客が着席希望者であることを示す映像を合成する例を示す図
【発明を実施するための形態】
【０００９】
以下、本発明を実施するため形態について、図面を参照しながら説明する。図１は、本実施の形態に係る座席譲渡システムの全体構成図である。
【００１０】
譲渡希望者の通信端末１００と着席希望者の通信端末３００の構成図について説明する。乗客情報送信部１０１、３０１は、乗客の情報を送信する。乗客情報送信部３０１からは、着席希望であることと、位置情報と識別情報（ＩＤ）を送信する。乗客情報送信部１０１からは、譲渡希望であることと、位置情報とＩＤを送信する。
【００１１】
識別情報受信部３０２では、譲渡希望者の希望情報と位置情報を受信する。また識別情報受信部１０２では、着席希望者の希望情報と位置情報とＩＤを受信する。
【００１２】
撮影部１０３は、着席希望者が身につけているバーコードを撮影する。撮像部１０３は、車内の映像を記録するのではなく、プレビューのみを行う。
【００１３】
識別情報検出部１０４は、撮影部１０３で撮影したバーコードに含まれる識別情報を検出する。
【００１４】
識別情報照合部１０５は、識別情報検出部１０４で検出したＩＤと、識別情報受信部１０２で受信したＩＤが同じかどうか照合する。
【００１５】
映像合成部１０６は、映像を合成する。識別情報検出部１０４で検出したＩＤと、識別情報受信部１０２で受信したＩＤを、識別情報照合部１０５が照合し、同じものであると判断した場合には、撮影部１０３で撮影したバーコード部分に着席希望者であるとわかる映像を合成する。
【００１６】
表示部１０７は、識別情報受信部１０２で受信した着席希望者の希望情報、位置情報及びＩＤと、撮影部１０３で撮影（プレビュー）した映像と、映像合成部１０６で合成した映像を表示する。例えば、図７に示すように識別情報受信部１０２で受信した着席希望者の希望情報、位置情報及びＩＤを表示する。また、図８に示すように、撮影部１０３で撮影したプレビュー映像のバーコード部分に、着席希望者を示す映像を映像合成部１０６で合成して表示する。
【００１７】
表示部３０３は、識別情報受信部３０２で受信した譲渡希望者の希望情報と位置情報を表示する。
【００１８】
次にサーバ装置２００の構成図について説明する。サーバ装置２００において、乗客情報受信部２０１は、乗客情報送信部１０１、３０１から送られてきた着席希望か譲渡希望かを示す希望情報、位置情報、ＩＤの乗客情報を受信する。
【００１９】
空席検出部２０２は、車内の空席を検出する。例えば、車内の座席にセンサーが設置されており、どの座席が空席状態かを検出する。また、乗客情報受信部２０１で受信した位置情報を利用することもできる。
【００２０】
識別情報データベース部２０３は、識別情報を管理するデータベースである。例えば、ＩＤを有する乗客の中で、どの乗客が着席資格（老人、妊婦、脚が不自由など）を有するのかの管理や、サーバ装置で受信した譲渡希望者・着席希望者の乗客情報を管理するデータベースである。識別情報データベース部２０３の管理情報については、図４に例を示す。
【００２１】
識別情報通知判断部２０４は、希望情報と位置情報とＩＤを通知するかどうかを判断する。例えば、乗客情報受信部２０１で受信した位置情報と、空席検出部２０２で検出した空席状況と、識別情報データベース部２０３で照合した乗客情報から、乗客に希望情報と位置情報とＩＤを通知するかどうかを判断する。
【００２２】
識別情報送信部２０５は、着席希望者の通信端末３００には、譲渡希望者の希望情報と位置情報を、譲渡希望者の通信端末１０１には着席希望者の希望情報と位置情報とＩＤを送信する。
【００２３】
次に譲渡希望者の通信端末１００の処理手順について、図２を用いて説明する。まず、乗客は譲渡希望を示す希望情報と、位置情報と、ＩＤをメールでサーバ装置２００に送信する（ステップＳ３０１）。
【００２４】
サーバ装置２００から送信された希望情報と位置情報とＩＤを受信したら（ステップＳ３０２）、その情報を表示する（ステップＳ３０３）。
【００２５】
受信した希望情報が着席希望だった場合（ステップＳ３０４、ＹＥＳ）、バーコードリーダーを起動し（ステップＳ３０５）、撮影部１０３で車内をプレビューする（ステップＳ３０６）。バーコードを検出し（ステップＳ３０７）、識別情報受信部１０２で受信したＩＤと、検出したバーコードのＩＤ情報が同じだった場合（ステップＳ３０８、ＹＥＳ）、検出したバーコードが表示されている位置に、着席希望者であることを示す映像を合成し（ステップＳ３０９）、合成した映像を表示する（ステップＳ３１０）。
【００２６】
次にサーバ装置２００の処理手順について、図３を用いて説明する。乗客情報を受信し（ステップＳ４０１）、乗客情報に含まれる希望情報が譲渡希望だった場合（ステップＳ４０２、ＮＯ）、譲渡希望者の乗客情報として識別情報データベースに登録する（ステップＳ４０３）。
【００２７】
希望情報が着席希望であった場合（ステップＳ４０２、ＹＥＳ）、その着席希望者に着席資格があるかどうかを、識別情報データベースを照合して確認する（ステップＳ４０４）。
【００２８】
着席資格があると判断された場合は（ステップＳ４０５、ＹＥＳ）、空席検出部において空席があるかどうか確認する（ステップＳ４０６）。
【００２９】
空席がない場合（ステップＳ４０７、ＹＥＳ）は、識別情報データベースに、譲渡希望者の乗客情報が登録されているかどうかを検索する（ステップＳ４０８）。
【００３０】
譲渡希望者の乗客情報が登録されている場合（ステップＳ４０９、ＹＥＳ）は、まずｎ番目（ここではｎ＝１）に登録されている譲渡希望者の乗客情報を抽出する（ステップＳ４１０）。そしてｎ番目の乗客情報の中の位置情報と、受信した着席希望者の乗客情報の中の位置情報を比較する（ステップＳ４１１）。譲渡希望者、着席希望者が同じ車両で、譲渡希望者の着席位置に近い乗降口に着席希望者がいた場合は、両者の位置が近いと判断する。
【００３１】
位置の遠近の判断については、図６に例を示す。図６（Ａ）は位置が近いと判断される例であり、図６（Ｂ）は位置が遠いと判断される例である。
【００３２】
譲渡希望者と、着席希望者の位置が近いと判断された場合（ステップＳ４１２、ＹＥＳ）は、着席希望者に譲渡希望者の希望情報と位置情報を送信し（ステップＳ４１４）、譲渡希望者に着席希望者の希望情報と位置情報とＩＤを送信する（ステップＳ４１５）。
【００３３】
着席希望者とｎ番目の譲渡希望者の位置が遠いと判断された場合（ステップＳ４１２、ＮＯ）、次の譲渡希望者の乗客情報を検索する（ステップＳ４１３）。
【００３４】
なお、適合する譲渡希望者がいない場合や、着席希望者に着席資格がなかった場合など、必要のなくなった乗客情報はその時点で破棄するようにしてもよい（ステップＳ４１６、Ｓ４１７）。
【００３５】
また、譲渡希望者が乗車中に着席希望者に参照されなかった譲渡希望者の乗客情報については、譲渡希望者の降車時または一定時間経過後に削除するようにしてもよい。
【００３６】
次に譲渡希望者と着席希望者の各通信端末とサーバ装置間のシーケンスについて、図５を用いて説明する。譲渡希望者は、譲渡希望であることと、着席している座席の情報を乗客情報として通信端末からサーバ装置に送信する（ステップＳ５０１）。
【００３７】
サーバ装置は、受信した乗客情報を、譲渡希望者のものとして識別情報データベースに登録する（ステップＳ５０２）。
【００３８】
着席希望者は、着席希望であることと、位置情報を、通信端末からサーバ装置に送信する（ステップＳ５０３）。
【００３９】
サーバ装置は、受信した乗客情報が着席資格のある着席希望者であり、登録されている譲渡希望者の情報の中から、位置情報が近い譲渡希望者がいると判断する（Ｓ５０４）。
【００４０】
サーバ装置は、着席希望者に譲渡希望者の希望情報と位置情報を送信する（Ｓ５０５）。また譲渡希望者に着席希望者の希望情報と位置情報とＩＤを送信する（Ｓ５０６）。
【００４１】
着席希望者の通信端末には、譲渡希望者の位置情報が表示され（Ｓ５０７）、着席希望者は、受信した譲渡希望者の位置情報で示された位置に移動する（Ｓ５０８）。
【００４２】
譲渡希望者の通信端末には、着席希望者の位置情報が表示され（Ｓ５０９）、譲渡希望者は、受信した着席希望者の位置情報の位置をカメラでプレビューし（Ｓ５１０）、検出したバーコードに着席希望者であることを示す映像が合成されて表示され（Ｓ５１１）、当該の乗客に対して席を譲る（Ｓ５１２）。
【００４３】
このように、本実施の形態によれば、バスや鉄道の乗車時に、着席希望者は、自分の年齢や身体状態といった個人情報を通知することなく、譲渡希望者に対して着席希望の意志を伝えることができるとともに、譲渡希望者は着席希望者を視覚的に特定することができるため、円滑に席を譲ることが可能となる。
【００４４】
なお、本実施の形態においては、通信端末からサーバ装置にメールを送信して乗客情報を登録していたが、通信端末内のＩＣカードに登録情報を保持し、サーバ装置がカードリーダで情報を読み取っても良い。また、通信端末からサーバ装置内のウェブサイトに乗客情報を書き込んで登録しても良い。
【００４５】
なお、本実施の形態においては、着席希望者が２次元バーコードを装着していたが、譲渡希望者が装着しても良い。例えば、譲渡希望者も２次元バーコードを装着し、乗客情報としてＩＤをサーバ装置に登録する。サーバ装置は、譲渡希望者のＩＤを着席希望者に送信すれば、お互いにバーコードを検出することで、発見することが出来る。
【００４６】
なお、本実施の形態においては、２次元バーコードから乗客の識別情報を読み取っていたが、２次元バーコードのかわりに、何らかの文字、画像、表示パターン等で表される乗客の識別情報が読み取れる画像コードを利用してもよい。
【産業上の利用可能性】
【００４７】
本発明は、バスや鉄道などにおいて、着席希望者を検出して座席を譲渡することができる座席譲渡システムとして有用である。
【符号の説明】
【００４８】
１００    譲渡希望者の通信端末
１０１    乗客情報送信部
１０２    識別情報受信部
１０３    撮影部
１０４    識別情報検出部
１０５    識別情報照合部
１０６    映像合成部
１０７    表示部
２００    サーバ装置
２０１    乗客情報受信部
２０２    空席検出部
２０３    識別情報データベース部
２０４    識別情報通知判断部
２０５    識別情報送信部
３００    着席希望者の通信端末
３０１    乗客情報送信部
３０２    識別情報受信部
３０３    表示部
【図１】
2011258038.tif 000003
【図２】
2011258038.tif 000004
【図３】
2011258038.tif 000005
【図４】
2011258038.tif 000006
【図５】
2011258038.tif 000007
【図６】
2011258038.tif 000008
【図７】
2011258038.tif 000009
【図８】
2011258038.tif 000010
【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
個人の第１識別情報を受信する識別情報受信手段と、
前記個人の第２識別情報を示す画像コードを含む映像を撮影する撮影手段と、
前記撮影手段において撮影された前記画像コードから前記第２識別情報を検出する識別情報検出手段と、
前記識別情報受信手段において受信した前記第１識別情報と、前記識別情報検出手段において検出した前記第２識別情報とを照合して一致しているか否かを判断する識別情報照合手段と、
前記識別情報照合手段において、前記第１識別情報と前記第２識別情報が一致していると判断した場合に、前記撮影手段において撮影された映像の上に前記個人を特定するための映像を合成する映像合成手段と、
前記映像合成手段により合成された映像を表示する表示手段と、を備える通信端末。
【請求項２】
着席希望または座席譲渡希望を示す乗客情報を送信する乗客情報送信手段を備えた請求項１記載の通信端末。
【請求項３】
複数の請求項２記載の通信端末とサーバ装置とからなる座席譲渡システムであって、
前記サーバ装置は、
着席希望または座席譲渡希望を示す乗客情報を受信する乗客情報受信手段と、
前記乗客情報に基づいて着席希望者の前記第１識別情報を座席譲渡希望者の前記通信端末に送信する識別情報送信手段と、
を備える座席譲渡システム。
【手続補正３】
【補正対象書類名】明細書
【補正対象項目名】０００１
【補正方法】変更
【補正の内容】
【０００１】
本発明は、バスや鉄道における着席希望者に座席を譲渡するための通信端末および座席譲渡システムに関する。
【手続補正４】
【補正対象書類名】明細書
【補正対象項目名】０００６
【補正方法】変更
【補正の内容】
【０００６】
本発明に係る通信端末は、個人の第１識別情報を受信する識別情報受信手段と、前記個人の第２識別情報を示す画像コードを含む映像を撮影する撮影手段と、前記撮影手段において撮影された前記画像コードから前記第２識別情報を検出する識別情報検出手段と、前記識別情報受信手段において受信した前記第１識別情報と、前記識別情報検出手段において検出した前記第２識別情報とを照合して一致しているか否かを判断する識別情報照合手段と、前記識別情報照合手段において、前記第１識別情報と前記第２識別情報が一致していると判断した場合に、前記撮影手段において撮影された映像の上に前記個人を特定するための映像を合成する映像合成手段と、前記映像合成手段により合成された映像を表示する表示手段と、を備える。